(57)【要約】      （修正有）【課題】メッキ処理等に使用する構造の簡単な処理装置を提供する。【解決手段】処理液Sが充填される処理槽本体１の上部には、長手方向に沿って左右一対の溢流樋２，２を配置し、該処理槽１の底部には長手方向に沿って処理液吸引溝を開口せしめ、該吸引溝の下側には処理液受器５を配置し、該処理液受器５と該左右一対の溢流樋２，２との間に処理液循環経路６を連絡せしめ、薄物シートである被処理材Wを該左右一対の溢流樋２，２の間から垂下させつつ該溢流樋２，２に沿って移動させる処理装置とする。上記処理装置では溢流樋７，７から槽底部吸引溝にかけて、被処理材Wの両側に処理液Sの下流が発生し、該被処理材Wの下部からの浮上がりが防止される。【選択図】図２
2009091597.tif 000002
【特許請求の範囲】
【請求項１】
処理液が充填される処理槽本体の上部には、長手方向に沿って左右一対の溢流樋を配置し、該処理槽の底部には長手方向に沿って処理液吸引溝を開口せしめ、該吸引溝の下側には処理液受器を配置し、該処理液受器と該左右一対の溢流樋との間に処理液循環経路を連絡せしめ、薄物シートである被処理材を該左右一対の溢流樋の間から垂下させつつ該溢流樋に沿って移動させることを特徴とする処理装置。
【請求項２】
該処理槽本体の左右上縁に沿って受樋をそれぞれ配置し、該受樋から該処理液受器に処理液流下経路を連絡した請求項１に記載の処理装置。
【請求項３】
該処理液受器内は上下に複数段穴明き隔壁によって区画されている請求項１または２に記載の処理装置。
【請求項４】
該処理槽はメッキ処理槽であり、該処理液はメッキ処理液である請求項１〜３いずれか１項に記載の処理装置。
【発明の詳細な説明】
【技術分野】
【０００１】
本発明は、例えば薄物金属シートに電気メッキ処理を施こす際に使用される処理装置に関するものである。
【背景技術】
【０００２】
従来、この種の処理装置にあっては、処理液を充填した処理槽本体内を通過する薄物シートの両側から上下複数段に配置した処理液噴射ノズルから処理液を噴射することによって、該薄物シート下部からの浮き上がりを防止し、もって均一な処理を施こす構成が提供されている（特許文献１，２参照）。
【０００３】
【特許文献１】特表２００３−５１４１２５号
【特許文献２】特開２００２−１２９３８１号
【発明の開示】
【発明が解決しようとする課題】
【０００４】
上記従来の方法では、処理槽本体内に処理液噴射ノズルを左右複数段設置しなければならず、装置の構造が複雑になり、装置が高価になり、またメンテナンスにも不利になること、また左右のノズルからの処理液噴射圧をバランスしないと、薄物が出来なくなること、そのために左右のノズルからの処理液噴射圧の調整に労力を要すること、等の問題点がある。
【課題を解決するための手段】
【０００５】
本発明は、上記従来の問題点を解決するための手段として、処理液Sが充填される処理槽本体１の上部には、長手方向に沿って左右一対の溢流樋２，２を配置し、該処理槽１の底部には長手方向に沿って処理液吸引溝３を開口せしめ、該吸引溝３の下側には処理液受器５を配置し、該処理液受器５と該左右一対の溢流樋２，２との間に処理液循環経路６を連絡せしめ、薄物シートである被処理材Wを該左右一対の溢流樋２，２の間から垂下させつつ該溢流樋２，２に沿って移動させる処理装置を提供するものである。
本発明のより好ましい態様は、該処理槽本体１の左右上縁に沿って受樋７，７をそれぞれ配置し、該受樋７，７から該処理液受器５に処理液流下経路８を連絡している態様である。
該処理液受器５内は上下に複数段穴明き隔壁１６によって区画されていることが好ましく、該処理槽１はメッキ処理槽であり、該処理液Sはメッキ処理液であることが好ましい。
【発明の効果】
【０００６】
〔作用〕
処理槽１の一端から薄物シートである被処理材Wを垂下して、該処理槽１内の処理液Sに浸漬し、他端側へ移動させつつ該被処理材Wを該処理液Sによって処理する。
この際、該左右一対の溢流樋２，２から処理液Sを槽内上部に溢流させ、槽内処理液Sを該処理槽１底部の吸引溝３に吸引せしめると、該被処理材Wの両側に処理液S下行流が発生し、該被処理材Wの下部からの浮き上がりが防止され直立状態となる。
吸引溝３に吸引された処理液Sは処理液受器５に蓄積され、処理液循環路６より該溢流樋２，２に戻される。
更に処理槽本体１の左右上縁から溢流した処理液Sは受樋７，７に受けられ、処理液流下経路８によって処理液受器５に流下蓄積される。
該処理液受器１５の上下複数段を穴明き隔壁１６によって区画すると、該受器１５内の処理液が該隔壁１６の穴１７を通るとき整流され、その結果槽内の処理液Sの流れが均一化される。
本発明の処理装置はメッキ処理に特に有用である。
【０００７】
〔効果〕
本発明では、処理槽内にノズル等を配置しなくても良いので、処理装置の構造が簡単になり安価に提供出来るし、またメンテナンス的にも有利になる。
更に槽内処理液に下行流を発生させて被処理材Wの下部の浮き上がりを防止するので、ノズルからの処理液噴射圧をバランスさせるような労力や手間が省略される。
【発明を実施するための最良の形態】
【０００８】
本発明の第１実施例を図１から図３に示す。
各図において、１はメッキ処理槽本体であり、該メッキ処理槽本体１の上部には長手方向に沿って左右一対の溢流樋２，２が配置されており、該処理槽１の底部中央には長手方向に沿って処理液吸引溝３が開口しており、該吸引溝３の左右上縁からはガイド板４，４が斜め上方に差出されている。
【０００９】
該処理槽本体１の吸引溝３の下側には処理液受器５が配置され、該受器５と左右一対の溢流樋２，２との間には循環ポンプPが介在する処理液循環経路６および枝経路６A,６Aが連絡している。
【００１０】
更に該処理槽本体１の左右上縁に沿っては受樋７，７が配置され、該受樋７，７からは該受器５に処理液流下経路８がそれぞれ連絡している。
【００１１】
該処理槽本体１には、例えば銅メッキ液、ニッケルメッキ等のメッキ液が処理液Sとして充填され、該処理槽本体１の一端からはクリップ９によって支持されたプリント基板等の薄物シートWが浸漬される。該薄物シートWは、例えば、ポリイミド、アラミド等の樹脂の薄物シートである。
【００１２】
該処理槽において、図３に示すようにクリップ９の上端部がコの字状に屈曲した係合部１１を有する懸垂板１０に垂下支持されており、該懸垂板１０の係合部１１は処理槽本体１上方長手方向に配設されている陰極バー１３に摺動可能に面接触的に係合し、更に該懸垂板１０の係合部１１には該陰極バー１３と平行して配設されている駆動ベルト１２が連絡している。かくして該薄物シートである被処理材Wは該陰極バー１３から懸垂板１０を介して懸垂され、かつ陰極が接続され、該駆動ベル１２を図示しない駆動源によって槽本体１の一端から他端に向けて移動させれば、該被処理材Wは該懸垂板１０を介して陰極バー１３に沿って槽本体の一端から他端に移動するようにされている。更に該処理槽本体１内には左右一対の陽極板１４，１４が挿入されている。
【００１３】
上記構成において、槽内の処理液Sは槽底部の左右一対のガイド板４，４にガイドされて受器５に流下し、該受器５から処理液循環経路６、枝経路６A,６Aを介して循環ポンプPによって左右一対の溢流樋２，２に循環され、該溢流樋２，２から溢流して槽内上部に戻される。したがって槽内処理液Sには溢流樋２，２から槽内への溢流、吸引溝３からの吸引によって図２矢印に示すように被処理材Wの左右側に下行流が発生し、該下行流によって該被処理材Wは下部から浮上するのを防止され、極板１４，１４に正対する直立状態となる。該被処理材Wはこの状態で前記したように駆動ベルト１２に懸垂板１０を介して槽本体１の一端から他端に図１矢印に示すように摺動し、この間に所定のメッキが均一に施される。
【００１４】
更に槽本体１の左右上縁から溢流した処理液Sは受樋７，７内に流入し、該受樋７，７から流下経路８を介して受器５内に流入する。
なお槽本体１の液位ｈは一定に保たれることが望ましく、そのためには循環ポンプPによる受樋７，７から常時液が受器５内に流入するように処理液循環量を調節する。
【００１５】
図４から図６には本発明の第２実施例が示される。
本実施例では槽本体１の底部の吸引溝３の下側に配置されている受器１５内は穴明き隔壁１６によって二段に区画されている。
この実施例では吸引溝３によって受器１５内に吸引された処理液Sは長手方向に沿って配列されている隔壁１６の複数個の穴１７によって長手方向に均等に分散されることによって槽内の下行流が均一化され、第一実施例よりも一層均一なメッキ処理が達成される。流下経路８A,８Bは図６に示すように、循環経路６の異なった位置に接続されてもよい。
【００１６】
上記実施例では受器１５内は隔壁１６，１６によって二段に区画されたが、更に図７に示すように二段の隔壁２６，２６によって三段に区画されてもよい。この場合は二段の隔壁２６，２６の穴２７，２７によって下行流の均一化がより精密に行われる。また隔壁は三段以上にされてもよい。
【００１７】
本実施例の場合は、左右の受樋７，７から処理液を流下させる流下経路８A、８Bは別々に循環経路６の循環ポンプP上流側に合流する。該流下経路８A,８B、循環経路６にはそれぞれバルブV1,V2,V3が介在され、バルブV1,V2,V3によって処理液の循環量を調節する。
【００１８】
上記二つの実施例はいずれも電気メッキ処理に関するものであったが、本発明では無電解メッキ処理、電気泳動塗装処理等、電気メッキ以外の処理も対象とされる。
【産業上の利用可能性】
【００１９】
本発明では、構造が簡単な、安価なかつメンテナンスに有利な処理装置が提供され、該処理装置によれば、被処理材に均一な処理を行なうことが保証されるから、産業上利用可能である。
【図面の簡単な説明】
【００２０】
図１〜図３は本発明の実施例１を、図４〜図６は実施例２を、図７は他の実施例を示すものである。
【図１】説明斜視図
【図２】横断面図
【図３】上部説明図
【図４】横断面図
【図５】底部吸引溝平面図
【図６】他の経路接続方式の説明図
【図７】他の実施例の横断面図
【符号の説明】
【００２１】
１        処理槽本体
２        溢流樋
３        吸引溝
５        処理液受器
６        処理液循環経路
７        受樋
８        処理液流下経路
１６      隔壁
S         処理液
W        被処理材
【図１】
2009091597.tif 000003
【図２】
2009091597.tif 000004
【図３】
2009091597.tif 000005
【図４】
2009091597.tif 000006
【図５】
2009091597.tif 000007
【図６】
2009091597.tif 000008
【図７】
2009091597.tif 000009